(57)【特許請求の範囲】
【請求項１】
ベースプレート（１２）と、
そのベースプレート（１２）の２つの互いに対向する縁部に沿って配置された寸法安定性のある発泡体からなる２つの細長いサイドパーツ（１４）と、
少なくとも部分的に柔らかい発泡体（２２）からなり、かつ上記細長いサイドパーツ（１４）間に嵌め込まれて、各隣接するサイドパーツ（１４）により、外側（３２）にて、少なくとも部分的に支持されたパッド部品（１６）とを備え、
少なくとも１つのサイドパーツ（１４）に、少なくとも１つの突起部分（２８）を、上記パッド部品（１６）が上記サイドパーツ（１４）間に配置されたときに上記部分が上記パッド部品（１６）の上記外側（３２）の関連する凹部内（３４）に係合するように、形成、配置したことを特徴とする患者ベッド用パッド要素（１０）。
【請求項２】
上記サイドパーツは、表皮一体発泡体、特に表皮一体ＰＵＲ発泡体からなる請求項１に記載のパッド要素（１０）。
【請求項３】
上記突起部分は、凸状の、特に部分球形状の、ボス（２８）で形成され、該ボスは、各サイドパーツ（１４）の内側面（２６）から突出する請求項１または２に記載のパッド要素（１０）。
【請求項４】
上記パッド部品（１６）が、不透水性シース（１８）により覆われた請求項１から３のいずれか一つに記載のパッド要素（１０）。
【請求項５】
少なくとも上記シース（１８）の外面が、導電性であることを特徴とする請求項４記載のパッド要素（１０）。
【請求項６】
上記パッド部品（１６）は、ＥＰＤＭ発泡体の下層（２０）と、柔らかい発泡体の上層（２２）とを備えた請求項１から５のいずれか一つに記載のパッド要素（１０）。
【請求項７】
上記パッド部品（１６）は、Ｔ字状断面を有し、そのＴ字の足部分が上記サイドパーツ（１４）間に位置し、該Ｔ字の横棒部分が前記サイドパーツ（１４）を覆うことを特徴とする請求項１から６のいずれか一つに記載のパッド要素（１０）。
【請求項８】
上記ベースプレート（１２）は、Ｘ線透過性の材料、特にプラスチックからなる請求項１から７のいずれか一つに記載のパッド要素（１０）。
【請求項９】
手術台のベッドのセグメントに配置されるのに適したパッド要素であって、上記セグメントが、上記ベッドの他のセグメントに連結式に接続された請求項１から８のいずれか一つに記載のパッド要素（１０）。
【請求項１０】
少なくとも一つの上記サイドパーツ（１４）における長手方向の端部の少なくとも一つに成形部分（３０）が形成され、該成形部分は、上記セグメント間の継手部を少なくとも部分的に覆う請求項９記載のパッド要素（１０）。
【請求項１１】
互いに対して調節可能である複数のセグメントを備えたベッドを有する手術台において、請求項１から１０のいずれか一つに記載のパッド要素（１０）が、上記セグメントの少なくとも一つに配置されたことを特徴とする手術台。
【発明の詳細な説明】
【技術分野】
【０００１】
本発明は、例えば手術台のベッド用の、患者ベッド用パッド要素に関する。手術台は、一般に互いに対して調節可能である複数のセグメントからなるベッドを有する。患者が支持されるパッド要素は、様々なセグメントに固定される。従来、パッド要素は寸法安定性のある一体型発泡体からなり、それにより適切な形状および構造を簡単に作り出せる。しかしながら、一体型発泡体には、比較的硬く、それゆえ患者がこの種のパッド要素に長時間支持されると圧痕がつくかもしれない、という欠点がある。
【背景技術】
【０００２】
原則として、一体型発泡体パッドに加えて、バンドまたはタッチアンドクローズ締結具（ｔｏｕｃｈ−ａｎｄ−ｃｌｏｓｅ  ｆａｓｔｅｎｉｎｇ）によって一体型発泡体パッドに固定される柔らかいパッドを使用してもよい。しかしながら、この種の固定手段、例えばストラップ、バンド、タッチアンドクローズ接続具（ｔｏｕｃｈ−ａｎｄ−ｃｌｏｓｅ  ｃｏｎｎｅｃｔｉｏｎ）等は、簡単に洗浄できず、それゆえ衛生上の問題が生じる。さらに、追加の柔らかいパッドの固定・解放が複雑で、それゆえ時間がかかる。
【発明の開示】
【発明が解決しようとする課題】
【０００３】
本発明の目的は、容易に取り扱いと洗浄ができ、同時に患者が柔らかい支持を得られる、導入部で述べた種類のパッド要素を特定することにある。
【課題を解決するための手段】
【０００４】
この目的は、ベースプレートと、ベースプレートの２つの互いに対向する縁部に沿って配置されている寸法安定性のある発泡体からなる２つの細長いサイドパーツと、少なくとも部分的に柔らかい発泡体からなり、かつ少なくとも部分的に柔らかい発泡体からなり、かつ細長いサイドパーツ間に嵌め込まれて、各隣接するサイドパーツにより、外側にて、少なくとも部分的に支持されたパッド部品とを含み、少なくとも１つのサイドパーツ上には、少なくとも１つの突起部分が形成されかつ配置されていて、パッド部品がサイドパーツ間に配置される時、前記突起部分はパッド部品の外側上の関連する凹部に係合する、パッド要素によって達成される。
【０００５】
それゆえ、本発明によるパッド要素において、少なくとも部分的に柔らかい発泡体からなり、それゆえ患者が柔らかい支持を得られ、それにより圧点を避けることができるパッド部品が提供される。柔らかいパッド部品を寸法安定性のあるサイドパーツ間に置くことができ、該パッド部品は、その寸法安定性のあるサイドパーツによって側方からの支えを得る。同時に、少なくとも１つの突起部分の、その関連する凹部への係合の結果、パッド部品は、追加の固定手段、例えばタッチアンドクローズ接続具、バンド、またはストラップ等を必要とすることなく、この位置に保持される。その結果、パッド要素を容易に完全に洗浄でき、簡単な方法で取り扱うことができる。
【０００６】
好ましくは、サイドパーツは、一体型発泡体、特にＰＵＲ一体型発泡体からなる。
【０００７】
好ましい実施形態において、突起部分は、各サイドパーツの内側面から突出している凸状の、特に部分球形状のボスで形成されている。この実施形態において、パッド部品の各外側に沿ってボスを滑らせて（この場合パッド部品は突出ボスで多少圧縮される）、ボスを関連する凹部に係合させるまで、２つのサイドパーツ間に上からパッド部品を容易に押し込むことができる。パッド部品は元の形状を取り戻し、ボスによって適所に保持される。
【０００８】
パッド部品は、好ましくは不透水性シースに覆われており、それゆえ洗い流せる。パッド部品は好ましくはＥＰＤＭの下層と、柔らかい発泡体の上層とを含む。柔らかい発泡体の上層により患者は柔らかい支持を得られる。多少硬いＥＰＤＭからなる下層は、サイドパーツの突起部分の下に係合でき、その結果パッド部品は使用中よりしっかりと保たれる。
【０００９】
ベースプレートは、好ましくはＸ線透過性の材料、特にプラスチックからなるので、患者は、手術台に横になっているときにＸ線検査を受けられる。
【００１０】
パッド要素は、好ましくは、ベッドの他のセグメントに連結式に接続されている、手術台のベッドのセグメントに配置されるのに適している。この場合、サイドパーツの少なくとも１つの、長手方向先端部の少なくとも１つには、成形部分が形成されていて、前記成形部分は、２つのセグメント間の継手部を少なくとも部分的に覆っている。これにより、パッド要素を使用して支持されている患者の、継手部との接触を回避する。このような成形部分は、様々な位置の継手部に必要なため複雑な構造となる。しかしながら、この種の複雑な構造を、一体型発泡体によって非常に良品に作製することができる。
【００１１】
最後に、本発明はさらに、互いに対して調節可能である複数のセグメントと、セグメントの少なくとも１つに配置されている上述の発展形態の１つによるパッド要素とを含むベッドを備える、手術台に関する。
【００１２】
本発明をより明瞭に理解するために、図面に示され、かつ特有の用語を使用して記載される好ましい例示的な実施形態について説明する。しかしながら、本発明の保護範囲はそれにより限定されるべきでないことが指摘されよう。なぜなら、そこで指摘されるような、図示の装置のそのような変形形態とさらなる改良形態、および本発明のそのようなさらなる適用は、当業者の現在の通常知識および将来の専門知識として考慮されるからである。本発明の例示的な実施形態を図面を参照して説明する。
【発明を実施するための最良の形態】
【００１３】
図１は、本発明の実施形態によるパッド要素１０の上面図を示し、図２は、パッド要素１０の図１の線Ａ−Ａに沿った断面を示す。
【００１４】
パッド要素１０は、手術台のベッドのセグメント（図示せず）に配置されるように意図されている。図１および図２に示されるように、パッド要素１０は、寸法安定性のある発泡体からなるサイドパーツ１４が長手方向縁部に配置されているベースプレート１２を含む。本願明細書において、この場合、長手方向縁部は、パッド要素１０が手術台に配置される時に、手術台のベッドの長手方向に配置されるベースプレート１２の両端を意味する。
【００１５】
ベースプレート１２は、Ｘ線透過性のプラスチックからなる。それゆえ、パッド要素１０に支持された患者のＸ線写真を、パッド要素１０を通して撮ることができる。
【００１６】
パッド要素１０は、さらに、ベースプレート１２上にある細長いサイドパーツ１４間に配置されているパッド部品１６を含む。パッド部品１６は、洗い流せる不透水性シース１８で完全に覆われている。パッド部品１６は、エチレン−プロピレンターポリマー発泡体（ＥＰＤＭ発泡体）の下層２０と、柔らかい発泡体の上層２２とからなるコアを含む。シース１８は、少なくともその外面が導電性であってもよい。
【００１７】
パッド部品１６を、図１および２に示されるようにサイドパーツ１４間のベースプレート１２上に置き、下記で詳細に説明されるように、この位置に保つこともできる。例えば洗浄のために、パッド部品１６をこの位置から取り外すこともできる。
【００１８】
図３〜５は、パッド部品１６が取り外されたパッド要素１０を示す。この場合、図３は、ベースプレート１２および２つのサイドパーツ１４の斜視図を示す。図４は、正面図、すなわち図３の矢印２４の方向から見た図を示し、図５は、ベースプレート１２およびサイドパーツ１４の上面図を示す。
【００１９】
上述したように、サイドパーツは寸法安定性のある発泡体からなり、図３〜５に示されるサイドパーツ１４の構造化された形状を容易に作ることができる。好ましくは、サイドパーツ１４は、構造化発泡体（ｓｔｒｕｃｔｕｒｅｄ  ｆｏａｍ）や、固い、非発泡性外皮を有する一体型発泡体、例えばＰＵＲ一体型発泡体からなる。図３〜５に示されるように、各サイドパーツ１４は、３つの突出ボス２８がいずれの場合も形成されている内側面２６を有している。ボス２８は、凸状の、例えば部分的に球形状の構成である。サイドパーツ１４は、導電性塗料で塗られていてもよいので、パッド部品１６の導電性シース１８と共に、パッド要素１０の表面の法定の電気伝導の放電が得られる。
【００２０】
サイドパーツ１４の長手方向先端部の１つには、それぞれ成形部分３０が形成されている。成形部分３０は、手術台のベッドの２つの隣接するセグメント（図示せず）間に配置される継手部を部分的に覆うことを意図している。これにより、ベッドに支持される患者が、継手部と接触しないように確実にする。図３〜５に示される、サイドパーツ１４の複雑な構造は、一体型発泡体から比較的単純な方法で作製することができる。
【００２１】
図１および２に示されるように、ボス２８は、パッド要素１０がベースプレート１２上にあり、サイドパーツ１４間に配置される時、パッド要素１０を保持するためのものである。この位置において、ボス２８は、パッド部品１６の外側３２に形成されている、パッド部品１６の関連する凹部３４に係合する（図２参照）。これにより、パッド部品１６がベースプレート１２およびサイドパーツ１４に対する位置から滑り落ちることを回避する。これは、特に、パッド１６の下層２０によるものである。下層２０はＥＰＤＭ発泡体からなり、それゆえ上層２２の粘弾性の柔らかい発泡体より硬く、かつボス２８の下で係合している。
【００２２】
それゆえ、図１〜５からのパッド要素１０には、柔らかいパッド部品１６で形成され、患者の身体に圧痕が形成されることなく患者を長時間支持できる中間部分がある。同時に、パッド要素は、硬いサイドパーツ１４を有し、それによりパッド部品はその所定位置に保持され、パッド部品１６を側方から支える。さらに、サイドパーツ１４は、手術台の追加の構成要素（図示せず）、例えばセグメントの長手方向の円材やセグメント間の継手部を覆うために、適切な構造をしている。
【００２３】
図６に示される改良実施形態において、パッド部品１６はＴ字形断面を有し、そのＴ字の足部分がサイドパーツ１４間にあり、そのＴ字の横棒部分がサイドパーツ１４を覆っているので、上面図に示されるように、パッド要素１０の表面は閉鎖されている。体液および他の流体または不純物がサイドパーツ１４とパッド部品１６との間の隙間に浸透しないので、この解決法には衛生的な利点がある。
【００２４】
パッド部品１６は、容易に洗浄できないストラップ、タッチアンドクローズ接続具等無しでパッド要素１０にしっかりと保たれる。
【００２５】
好ましい例示的な実施形態が、詳細に、図面および上記説明において記載されているが、純粋に例示的なものであり、本発明を限定するものではないと考慮されたい。好ましい例示的な実施形態のみが示され、記載され、本発明の保護範囲内にある現在および将来生じる変形形態および改良形態の全てが、保護されるべきであることを指摘する。
【図面の簡単な説明】
【００２６】
【図１】本発明の実施形態によるパッド要素の上面図を示す。
【図２】図１の線Ａ−Ａに沿った断面図を示す。
【図３】パッド要素の斜視図を示す。
【図４】パッド部品が取り外された、図１および２のパッド要素の正面図を示す。
【図５】パッド部品が取り外された、図１および２のパッド要素の上面図を示す。
【図６】図２に対応する、本発明によるパッド要素の改良実施形態の断面図を示す。
【符号の説明】
【００２７】
１０  パッド要素
１２  ベースプレート
１４  サイドパーツ
１６  パッド部品
１８  シース
２０  下層
２２  寸法安定性のある発泡体、上層
２４  矢印
２６  内側面
２８  突起部分、ボス
３０  成形部分
３２  外側
３４  凹部
【図１】
0004848251.tif 000002
【図２】
0004848251.tif 000003
【図３】
0004848251.tif 000004
【図４】
0004848251.tif 000005
【図５】
0004848251.tif 000006
【図６】
0004848251.tif 000007